(57)【要約】【課題】エンジンに供給される空気の浄化性能に優れると共に空気抵抗の増大を抑制した鞍乗型車両のエアクリーナ装置を提供すること。【解決手段】エアクリーナ装置１０２は、エアクリーナケース１０５と、エアクリーナケース１０５の内部を第１室１１５と第２室１４５とに仕切る主エレメント１７０と、第１室１１５にエアクリーナケース１０５の外部の空気を吸い込む吸気通路１３０と、第２室１４５の空気をエアクリーナケース１０５の外部に吐き出す吐出通路１４８と、第１室１１５内に配置された湿式エレメントからなる予備エレメント１３８と、を備えている。吸気通路１３０は、第１室１１５内に空気を吹き出す吹出口１３２を有している。予備エレメント１３８は、吹出口１３２の軸線上に位置するように吹出口１３２から離間して配置されている。【選択図】図１２
2013136998.tif 000002
【特許請求の範囲】
【請求項１】
鞍乗型車両に搭載されるエアクリーナケースと、
前記エアクリーナケース内に収納され、前記エアクリーナケースの内部を第１室と第２室とに仕切る主エレメントと、
前記第１室に前記エアクリーナケースの外部の空気を吸い込む吸気通路と、
前記第２室の空気を前記エアクリーナケースの外部に吐き出す吐出通路と、
前記第１室内に配置された湿式エレメントからなる予備エレメントと、を備え、
前記吸気通路は、前記第１室内に空気を吹き出す吹出口を有し、
前記予備エレメントは、前記吹出口の軸線上に位置するように前記吹出口から離間して配置されている、エアクリーナ装置。
【請求項２】
前記エアクリーナケースは、前記吹出口に対向し且つ空気を通過させない対向壁を有し、
前記予備エレメントは、前記対向壁に設けられている、請求項１に記載のエアクリーナ装置。
【請求項３】
前記対向壁は、前記第１室における前記主エレメントと対向する壁である、請求項２に記載のエアクリーナ装置。
【請求項４】
前記予備エレメントは、前記対向壁に着脱自在に取り付けられている、請求項２に記載のエアクリーナ装置。
【請求項５】
前記予備エレメントは、前記対向壁に直接取り付けられている、請求項２に記載のエアクリーナ装置。
【請求項６】
前記エアクリーナケースは、前記対向壁から突出する爪部材を備え、
前記予備エレメントは、前記爪部材に引っ掛けられている、請求項２に記載のエアクリーナ装置。
【請求項７】
前記予備エレメントは、前記対向壁の一部に設けられている、請求項２に記載のエアクリーナ装置。
【請求項８】
前記対向壁は、鉛直方向に延びる壁である、請求項２に記載のエアクリーナ装置。
【請求項９】
前記吹出口は、前記主エレメントと前記予備エレメントとの間に配置されている、請求項１に記載のエアクリーナ装置。
【請求項１０】
前記予備エレメントの表面積は、前記吸気通路の最大の流路断面積よりも大きい、請求項１に記載のエアクリーナ装置。
【請求項１１】
前記主エレメントの表面積は、前記予備エレメントの表面積よりも大きい、請求項１に記載のエアクリーナ装置。
【請求項１２】
前記主エレメントは、乾式エレメントからなっている、請求項１に記載のエアクリーナ装置。
【請求項１３】
前記吹出口は、前記主エレメントと交差しない方向に開口している、請求項１に記載のエアクリーナ装置。
【請求項１４】
前記吹出口は、前記予備エレメントと交差する方向に開口している、請求項１に記載のエアクリーナ装置。
【請求項１５】
請求項１〜１４のいずれか一つに記載のエアクリーナ装置を備えた鞍乗型車両。
【発明の詳細な説明】
【技術分野】
【０００１】
本発明は、鞍乗型車両に搭載されるエアクリーナ装置及びそれを備えた鞍乗型車両に関する。
【背景技術】
【０００２】
駆動源としてエンジンを備える鞍乗型車両において、エンジンに供給される空気中に埃等が混ざっていると、エンジン内部の摩耗を招き、その結果エンジンの寿命が低下する虞がある。このため、一般に、エンジンへ空気を供給する吸気管の上流側に、空気を浄化する装置であるエアクリーナが設けられている。
【０００３】
ところで、空気中に含まれる埃の量が多い場合には、エアクリーナケース中のエレメント（フィルター）は、すぐに目詰まりを起こしてしまう。目詰まりを抑制する方法として、エレメントを大型化することが考えられる。しかしながら、エレメントの大型化に伴い、該エレメントを備えるエアクリーナが大型化してしまい、ひいては自動二輪車等の鞍乗型車両の大型化を招いてしまう。そこで、従来から、エンジンに供給される空気の浄化性能を確保すると共にエアクリーナの大型化を防止するために、エアクリーナケースの内部に２重のエレメント（即ち、２つのエレメントが重ねられてなるエレメント）を配置することが知られている。
【０００４】
特許文献１のエアフィルタ（エアクリーナ）は、外筒と内筒とを有するフィルタケースを備えている。内筒の内部には、湿式のプリフィルタが設けられている。さらに、内筒と外筒との間には、フィルタエレメントが設けられている。これにより、フィルタケース内に供給される空気はプリフィルタ、フィルタエレメントの順に通過する。大きい埃はプリフィルタに捕捉され、小さい埃はフィルタエレメントに捕捉される。このような２重のエレメントを備えるエアクリーナでは、エレメントが１重であるエアクリーナと比較して目詰まりが生じにくいと考えられる。
【先行技術文献】
【特許文献】
【０００５】
【特許文献１】特開平８−１４４８７６号公報
【発明の概要】
【発明が解決しようとする課題】
【０００６】
しかしながら、上記特許文献１に開示された技術では、供給された空気が２重のエレメントを通過するため、１重のエレメントを通過する場合と比較して空気抵抗が大きくなる。また、２重のエレメントでは、目詰まりする箇所がプリフィルタとフィルタエレメントとに分散されるが、供給された空気が最初に通過するプリフィルタでは大きな埃が捕捉されるため、プリフィルタはフィルタエレメントに比べて目詰まりが起こりやすい。プリフィルタで目詰まりが起きてしまうと該プリフィルタにおける空気抵抗が大きくなってしまい、フィルタエレメントの目詰まりが少ないとしても、エアクリーナ全体の空気抵抗が大きくなってしまう。その結果、エンジン性能が低下してしまうという課題があった。
【０００７】
本発明はかかる点に鑑みてなされたものであり、その目的とするところは、エンジンに供給される空気の浄化性能に優れると共に空気抵抗の増大を抑制した鞍乗型車両用のエアクリーナ装置を提供することである。
【課題を解決するための手段】
【０００８】
本発明に係るエアクリーナ装置は、鞍乗型車両に搭載されるエアクリーナケースと、前記エアクリーナケース内に収納され、前記エアクリーナケースの内部を第１室と第２室とに仕切る主エレメントと、前記第１室に前記エアクリーナケースの外部の空気を吸い込む吸気通路と、前記第２室の空気を前記エアクリーナケースの外部に吐き出す吐出通路と、前記第１室内に配置された湿式エレメントからなる予備エレメントと、を備える。前記吸気通路は、前記第１室内に空気を吹き出す吹出口を有し、前記予備エレメントは、前記吹出口の軸線上に位置するように前記吹出口から離間して配置されている。
【０００９】
本発明に係るエアクリーナ装置では、エアクリーナケースの外部から吸入された空気は吸気通路を通過して吹出口から第１室に流入する。吹出口の軸線上には予備エレメントが離間して配置されているため、第１室内に吸入された空気の少なくとも一部は予備エレメントに当たる。このため、空気中に含まれる大きな埃は予備エレメントに衝突した後に落下する。この結果、大きな埃によって予備エレメントに目詰まりが発生することは抑制される。したがって、予備エレメントは目詰まりが生じにくい。一方、相対的に小さい埃は、予備エレメントに衝突した際に該予備エレメントに捕捉される場合がある。このため、エアクリーナケースの外部から空気を吸入し続けると、小さい埃によって予備エレメントに多少の目詰まりが発生する可能性がある。しかし、外部から吸入された空気は予備エレメントを通過しなくとも主エレメントを通過することができるため、予備エレメントに多少の目詰まりが生じていた場合であっても、空気抵抗の増大を抑制することができる。予備エレメントに当たった空気は、その後、第１室と第２室との間に配置されている主エレメントを通過する。そのため、予備エレメントで捕捉できなかった小さな埃等を該主エレメントにおいて捕捉することができる。
【００１０】
従って、本発明のエアクリーナ装置によると、エンジンに供給される空気の浄化性能に優れると共に空気抵抗の増大が抑制されるため、エンジン性能の低下を効果的に抑えることができる。
【００１１】
本発明の一態様によれば、前記エアクリーナケースは、前記吹出口に対向し且つ空気を通過させない対向壁を有している。前記予備エレメントは、前記対向壁に設けられている。
【００１２】
このように、予備エレメントを対向壁に設けるという簡単な構成によって、上述の作用効果を得ることができる。
【００１３】
本発明の一態様によれば、前記対向壁は、前記第１室における前記主エレメントと対向する壁である。
【００１４】
このように、主エレメントと予備エレメントとが、第１室において互いに対向する位置に配置されているので、外部から吸入される空気の大部分をまず予備エレメントに当てることができる。この結果空気を良好に浄化することができる。
【００１５】
本発明の一態様によれば、前記予備エレメントは、前記対向壁に着脱自在に取り付けられている。
【００１６】
このことにより、予備エレメントに目詰まりが発生し、予備エレメントの浄化性能が低下した場合に、該予備エレメントを容易に交換することができる。即ち予備エレメントのメンテナンスが容易である。
【００１７】
本発明の一態様によれば、前記予備エレメントは、前記対向壁に直接取り付けられている。
【００１８】
このことにより、予備エレメントを対向壁に取り付けるための複雑な構成が不要となり、エアクリーナ装置の構成を簡単化することができる。
【００１９】
本発明の一態様によれば、前記エアクリーナケースは、前記対向壁から突出する爪部材を備えている。前記予備エレメントは、前記爪部材に引っ掛けられている。
【００２０】
このことにより、予備エレメントを対向壁に対して容易に着脱することができる。即ち予備エレメントのメンテナンスが容易である。
【００２１】
本発明の一態様によれば、前記予備エレメントは、前記対向壁の一部に設けられている。
【００２２】
このように、外部から吸入された空気が当たりやすい部分である対向壁の一部（典型的には吹出口の近傍）に予備エレメントを配置することで、空気の浄化をより小さな予備エレメントによって行うことができる。
【００２３】
本発明の一態様によれば、前記対向壁は、鉛直方向に延びる壁である。
【００２４】
このことにより、外部から吸入された空気中に含まれる大きな埃が、鉛直方向に延びる壁に設けられた予備エレメントに当たった後、大きな埃は落下しやすくなる。即ち大きな埃をより効果的に除去することができる。
【００２５】
本発明の一態様によれば、前記吹出口は、前記主エレメントと前記予備エレメントとの間に配置されている。
【００２６】
このように、主エレメントと予備エレメントとが、吹出口をはさんで対向する位置に配置されているので、外部から吸入される空気の大部分をまず予備エレメントに当てることができる。この結果空気を良好に浄化することができる。
【００２７】
本発明の一態様によれば、前記予備エレメントの表面積は、前記吸気通路の最大の流路断面積よりも大きい。
【００２８】
このように、予備エレメントの表面積のほうが大きいため、吹出口から吹き出される空気を予備エレメントに十分に当てることができる。この結果、外部から吸入された空気を予備エレメントにおいて良好に浄化することができる。
【００２９】
本発明の一態様によれば、前記主エレメントの表面積は、前記予備エレメントの表面積よりも大きい。
【００３０】
このことにより、予備エレメントにおいて、大きな埃を落とし、外部から吸入された空気を予備的に浄化し、その後、主エレメントにおいて該空気を十分に浄化することができる。
【００３１】
本発明の一態様によれば、前記主エレメントは、乾式エレメントからなっている。
【００３２】
このことにより、主エレメントの取扱い及びメンテナンスが容易となる。
【００３３】
本発明の一態様によれば、前記吹出口は、前記主エレメントと交差しない方向に開口している。
【００３４】
このことにより、外部から吸入される空気が直接主エレメントに当たることを低減することができる。
【００３５】
本発明の一態様によれば、前記吹出口は、前記予備エレメントと交差する方向に開口している。
【００３６】
このことにより、外部から吸入される空気の大部分を直接予備エレメントに当てることができる。
【００３７】
本発明に係る鞍乗型車両は、前記エアクリーナ装置を備えたものである。
【００３８】
本発明によれば、前述の作用効果を奏する鞍乗型車両を得ることができる。
【発明の効果】
【００３９】
以上のように、本発明によれば、エンジンに供給される空気の浄化性能に優れると共に空気抵抗の増大を抑制した鞍乗型車両用のエアクリーナ装置を提供することができる。
【図面の簡単な説明】
【００４０】
【図１】本発明の一実施形態に係る自動二輪車を示す右側面図である。
【図２】本発明の一実施形態に係る自動二輪車後部を示す正面図である。
【図３】本発明の一実施形態に係る自動二輪車後部を示す背面図である。
【図４】本発明の一実施形態に係る自動二輪車後部を示す平面図である。
【図５】本発明の一実施形態に係る自動二輪車後部を示す左側面図である。
【図６】本発明の一実施形態に係る自動二輪車後部を示す右側面図である。
【図７】本発明の一実施形態に係るエアクリーナおよび収納ボックスを示す斜視図である。
【図８】本発明の一実施形態に係るエンジンユニットを示す内部断面図である。
【図９】本発明の一実施形態に係るエアクリーナおよびリヤフェンダを示す平面図である。
【図１０】本発明の一実施形態に係るエアクリーナおよびリヤフェンダを示す左側面図である。
【図１１】本発明の一実施形態に係るエアクリーナおよびリヤフェンダを示す右側面図である。
【図１２】本発明の一実施形態に係るエアクリーナを示す水平断面図である。
【図１３】図１２中のＸＩＩＩ−ＸＩＩＩ線に沿う断面図である。
【図１４】本発明の他の一実施形態に係るエアクリーナを示す部分水平断面図である。
【発明を実施するための形態】
【００４１】
以下、本発明の実施形態について説明する。図１に示すように、本実施形態に係る鞍乗型車両は、スクータ型の自動二輪車１である。ただし、本発明に係る鞍乗型車両はスクータ型の自動二輪車１に限定される訳ではない。本発明に係る鞍乗型車両は、いわゆるモペット型、オフロード型、またはオンロード型等の他の型式の自動二輪車であってもよい。また、本発明に係る鞍乗型車両は、自動二輪車に限定される訳ではなく、ＡＴＶ（Ａｌｌ  Ｔｅｒｒａｉｎ  Ｖｅｈｉｃｌｅ）等であってもよい。なお、鞍乗型車両とは、乗員が跨って乗車する車両のことである。
【００４２】
以下の説明において、前、後、左、右は、それぞれ自動二輪車１の乗員から見た前、後、左、右を意味するものとする。図面に付した符号Ｆ、Ｒｅ、Ｌ、Ｒは、それぞれ前、後、左、右を表す。
【００４３】
自動二輪車１は、車両本体５と、前輪７と、後輪９と、後輪９を駆動するエンジンユニット４０とを備えている。車両本体５は、乗員によって操作されるハンドル１１と、乗員が着座するシート１３とを備えている。エンジンユニット４０は、エンジン４２（図８参照）を有するいわゆるユニットスイング式のエンジンユニットである。エンジンユニット４０は、水平軸であるピボット軸３８を中心として揺動可能なように、その前端部が車体フレーム２０に支持されている。即ち、エンジンユニット４０は、車体フレーム２０に対して揺動自在に支持されている。
【００４４】
車体フレーム２０は、ヘッドパイプ２２から後斜め下向きに延びるメインフレーム２４と、メインフレーム２４から後斜め上向きに延びる左右のシートフレーム２６（図２参照），２８と、左右のシートフレーム２６，２８に架け渡されたクロスメンバ３０（図２参照）と、を有する。ヘッドパイプ２２にはフロントフォーク３２が取り付けられている。
【００４５】
フロントフォーク３２の下端部には、前輪７が支持されている。エンジンユニット４０の後端部には後輪９が支持されている。後輪９の一部を覆うリヤフェンダ８０はエンジンユニット４０に支持されている。リヤフェンダ８０は後輪９と共に車体フレーム２０に対して揺動することができる。
【００４６】
図４に示すように、自動二輪車１は、左右のシートフレーム２６，２８の間においてクロスメンバ３０に支持された収納ボックス１８０を備えている。収納ボックス１８０は、ヘルメット等が収納される大きさを有している。収納ボックス１８０の上部には開口が形成されている。シート１３（図１参照）は、シート１３の前端部を中心として回転可能に構成されている。シート１３の後端部が前斜め上方に移動するようにシート１３を回転させると、当該開口が外部に露出する。収納ボックス１８０は、図５に示すように、左のシートフレーム２６の右方に位置する左側壁１９２を有している。また、収納ボックス１８０は、図６に示すように、右のシートフレーム２８の左方に位置する右側壁１８２を有している。
【００４７】
自動二輪車１は、図４及び５に示すように、右のシートフレーム２８および左のシートフレーム２６のうち、左のシートフレーム２６の後部（例えば、側面視における後輪９の上方）のみに支持された同乗者用の足載せ台３５を備えている。足載せ台３５は比較的大きい足載せ面３６（図４も参照）を有している。シート１３に着座した同乗者は、その両足を足載せ台３５に載せることができる。
【００４８】
なお、上記の足載せ台３５は、左のシートフレーム２６および右のシートフレーム２８のうちいずれか一方の後部のみに支持されていればよい。足載せ台３５は、右のシートフレーム２６の後部に支持されていてもよい。ただし、足載せ台３５を左のシートフレーム２６の後部に支持することとすると、マフラー１５からの排熱を避けることができるので、より好ましい。このように、足載せ台３５は、左方及び右方のうち、マフラー１５が設けられた方と反対の方のシートフレームに支持されていることが好ましい。
【００４９】
エンジンユニット４０は、収納ボックス１８０の下方において車体フレーム２０に支持されている。エンジンユニット４０は、図８に示すように、内燃機関の一例としてのエンジン４２と、ベルト式無段変速機（以下、「ＣＶＴ」という。）６２と、を有している。エンジン４２は、クランクケース４４と、クランクケース４４から前斜め上向きに延びるシリンダブロック４８と、シリンダブロック４８の前部に接続されたシリンダヘッド５０と、シリンダヘッド５０の前部に接続されたシリンダヘッドカバー５２とを備えている。本明細書では、シリンダブロック４８、シリンダヘッド５０、およびシリンダヘッドカバー５２の全体をシリンダ４６と言うこととする。シリンダ４６は、クランクケース４４から前斜め上向きに延びている。クランクケース４４の左方には伝動ケース６０が配置されている。ＣＶＴ６２は、伝動ケース６０内に配置されている。
【００５０】
シリンダヘッド５０には、凹部５３と、この凹部５３につながる図示しない吸気ポートおよび排気ポートとが形成されている。この吸気ポートには吸気管５４（図６参照）が接続され、排気ポートには排気管５６（図６参照）が接続されている。なお、ここでいう吸気管５４には、単一の部材に限らず、複数の部材が組み合わされたものも含まれる。例えば、吸気管５４は、吸気ポートに接続された管、当該管に接続されたスロットルボディ、及び当該スロットルボディに接続されたダクト等が組み合わされることによって形成されていてもよい。ピストン５９の頂面とシリンダブロック４８の内周壁と上記凹部５３とにより、燃焼室５７が形成されている。上記ピストン５９は、コンロッド５８を介してクランク軸４５に連結されている。クランク軸４５は左方および右方に延びており、クランクケース４４内に収容されている。
【００５１】
ＣＶＴ６２は、駆動側のプーリである第１プーリ６４と、従動側のプーリである第２プーリ６６と、第１プーリ６４と第２プーリ６６とに巻き掛けられたＶベルト６８とを備えている。クランク軸４５の左端部は、クランクケース４４から左方に突出している。第１プーリ６４は、クランク軸４５の左端部に取り付けられている。第２プーリ６６はメイン軸７０に取り付けられている。メイン軸７０は、図示しないギア機構を介して後輪軸７２に連結されている。なお、図８では、第１プーリ６４の前側部分と後側部分とでは、変速比が異なる状態を表している。第２プーリ６６についても同様である。
【００５２】
吸気管５４は、シリンダヘッド５０の吸気ポートに接続している。吸気管５４は、シリンダヘッド５０から後ろ向きに延びている。図６に示すように、吸気管５４は、シリンダ４６の上方且つ収納ボックス１８０の下方に配置されている。吸気管５４の後部にはエアクリーナ１００が接続されている。
【００５３】
排気管５６は、シリンダヘッド５０の排気ポートに接続している。排気管５６は、シリンダヘッド５０から後方に延びている。排気管５６の後端部には、後斜め上向きに延びるマフラー１５が接続されている。
【００５４】
本実施形態に係るエアクリーナ装置１０２は、エアクリーナ１００と、後述する吐出通路１４８と、吸込部１２０とを備えている。図１２に示すように、エアクリーナ１００は、エアクリーナケース１０５を有している。エアクリーナケース１０５には、吸込部１２０が設けられている。吸込部１２０は、空気を吸い込む吸込口１２２と、エアクリーナケース１０５から上向きに延びる吸気通路１３０とを備えている。吸気通路１３０は、図３に示すように、車両中心線Ｌ１よりも右方に配置されている。吸気通路１３０の吸込口１２２は、収納ボックス１８０の右側壁１８２の右方且つ右のシートフレーム２８の左方に配置されている。吸気通路１３０の吸込口１２２の少なくとも一部は、収納ボックス１８０の右側壁１８２に向かって開口している。本実施形態では、吸気通路１３０は、前向き若しくは前斜め上向きに延びるように形成されている。ただし、吸気通路１３０の向きは、鉛直上向きであってもよいし、前斜め下向きであってもよい。
【００５５】
なお、本明細書において「車両中心線」とは、平面視において、前輪７の左右方向（幅方向）の中心と後輪９の左右方向（幅方向）の中心とを通る前後に延びる線を指す用語である。
【００５６】
マフラー１５には、図６に示すように、複数のスリット１７が形成されたカバー１５Ａが取り付けられている。スリット１７は、カバー１５Ａの前部に形成されている。各スリット１７は、前斜め下向きに延びている。スリット１７は、上下に並べられ、互いに平行に配設されている。自動二輪車１の走行時に、地面上にたまった水が前輪７によって巻き上げられ、カバー１５Ａに当たってから上方に飛び散るおそれがある。しかし、スリット１７を設けることによって、前輪７によって巻き上げられた水の流れる方向を変更することができる。このため、前輪７によって巻き上げられた水がカバー１５Ａに衝突して、エアクリーナ装置１０２の吸込口１２２に侵入することを効果的に抑制することができる。また、巻き上げられた水は、いったんスリット１７に捕捉された後、カバー１５Ａの表面に沿って後方に流れやすくなる。そのため、この水によってカバー１５Ａを冷却することができる。このように、高温となったマフラー１５を間接的に冷却することができ、マフラー１５を効果的に冷却することもできる。
【００５７】
本実施形態では、図３に示すように、マフラー１５の中心線Ｌ２は、自動二輪車（車両）１の後方から見て吸気通路１３０の中心線Ｌ３よりも右方に位置している。好ましくは、マフラー１５の左端１６は、車両後方から見て吸気通路１３０の中心線Ｌ３よりも右方に位置している。さらに好ましくは、マフラー１５の左端１６は、車両後方から見て吸気通路１３０の右端よりも右方に位置している。かかる構成によると、エアクリーナ１００およびエアクリーナ１００と接続された吸気通路１３０に、マフラー１５の熱が伝わることを効果的に抑制することができる。
【００５８】
なお、本明細書において「マフラー１５の中心線」とは、平面視において、マフラー１５の左右方向（幅方向）の中心を通る前後に延びる線を指す用語である。また、本明細書において「吸気通路１３０の中心線」とは、平面視において、吸気通路１３０の左右方向（幅方向）の中心を通る前後に延びる線を指す用語である。なお、図３では便宜上、各中心線Ｌ１、Ｌ２、Ｌ３に代えて、各中心線Ｌ１、Ｌ２、Ｌ３を通る鉛直線を一点鎖線で図示し、それぞれ符号Ｌ１、Ｌ２、Ｌ３を付している。
【００５９】
自動二輪車１は、図５に示すように、車体フレーム２０の後部（典型的には左のシートフレーム２６の後部）とエンジンユニット４２の後部との間に設けられたリヤクッションユニット９５を備えている。リヤクッションユニット９５は、左のシートフレーム２６と伝動ケース６０とに支持されている。
【００６０】
図９に示すように、エアクリーナ１００は、エンジン４２に空気を導く吸気管５４に接続されている。本実施形態では、吸気管５４とエンジン４２との接続部４３および吸気管５４のエアクリーナ１００（第２ケース１４０）との接続部５５は、平面視において車両中心線Ｌ１上に配置されている。かかる構成によると、吸気管５４の左右方向への曲がりがないか、あっても少ないため、エンジン４２の吸気特性が良好となり、エンジン性能が向上する。言い換えると、平面視において吸気管５４を真っ直ぐに延ばすことができるので、吸気抵抗を低減させることができ、エンジン性能を向上させることができる。
【００６１】
リヤフェンダ８０は、後輪９の上方に位置する上部８２と、後輪９の側方に位置する側部８４Ａ，８４Ｂとを有している。エアクリーナ１００は、少なくともリヤフェンダ８０の上部８２の一部を形成している。図６及び図１１に示すように、側面視において、エアクリーナ１００（第１ケース１１０）と後輪９とは重なるようにそれぞれ配置されている。
【００６２】
エアクリーナ１００の右側部分の前後方向長さは、左側部分の前後方向名長さよりも長くなっている。吸込部１２０は、車両中心線Ｌ１を基準としてエアクリーナ１００の左側部分と右側部分とのうち、前後方向長さが長い方の部分に設けられている。本実施形態では、吸込部１２０は、エアクリーナ１００の右側部分（後述する第１ケース１１０）に設けられている。
【００６３】
図１２に示すように、エアクリーナ１００は、それぞれ開口が形成された第１ケース１１０および第２ケース１４０からなるエアクリーナケース１０５と、空気を浄化する主エレメント１７０と、を有している。第１ケース１１０および第２ケース１４０は、互いの開口が主エレメント１７０を介して向かい合うように組み立てられている。このように、主エレメント１７０はエアクリーナケース１０５内に収納され、エアクリーナケース１０５の内部を第１室（即ち第１ケース１１０の内部空間）１１５と第２室（即ち第２ケース１４０の内部空間）１４５とに仕切っている。なお、主エレメント１７０は、乾式エレメント（オイルを染み込ませていないエレメント）であってもよいし、湿式エレメント（オイルを染み込ませたエレメント）であってもよい。
【００６４】
なお、本明細書において「第１室１１５と第２室１４５とに仕切る」とは、主エレメント１７０が仕切り壁の全体を形成する場合だけでなく、主エレメント１７０が仕切り壁の一部を形成する場合を含む用語である。
【００６５】
主エレメント１７０は、フレーム１７４に取り付けられている。フレーム１７４の両端部分に形成された係合部１７６，１７６をエアクリーナケース１０５内に設けられた係合溝１０６，１０６にそれぞれ嵌め込むことによって、主エレメント１７０をフレーム１７４と共にケース１０５内に容易に取り付けることができる。また、主エレメント１７０の交換が必要になった場合には、簡単に取り外しができるためメンテナンスが容易である。
【００６６】
前述の吸込部１２０は第１ケース１１０に接続されている。即ち、エアクリーナ１００の第１ケース１１０には、第１室１１５内にエアクリーナケース１０５の外部の空気を吸い込む吸込部１２０が設けられている。前述したように、吸込部１２０は、空気を吸い込む吸込口１２２と、エアクリーナケース１０５（詳しくは第１ケース１１０）から上向きに延びる吸気通路１３０とを備えている。吸気通路１３０は、図１３に示すように、第１室１１５内に空気を吹き出す吹出口１３２を有している。図１２に示すように、吹出口１３２は、予備エレメント１３８と交差する方向に開口している。吹出口１３２は、主エレメント１７０と交差しない方向に開口している。
【００６７】
図１２及び図１３に示すように、第１室１１５内には、湿式エレメント（即ち、オイルを染み込ませたエレメント）からなる予備エレメント１３８が配置されている。予備エレメント１３８は、吹出口１３２の軸線上に位置するように吹出口１３２から離間して配置されている。予備エレメント１３８は、吹き出された空気が予備エレメント１３８に当たる一方、当該空気が予備エレメント１３８を通過しないように配置されている。
【００６８】
なお、本明細書において「空気が予備エレメント１３８を通過」とは、予備エレメント１３８を流れる空気が実質的に流れ方向を変えることなく通過することを意味する用語である。従って、予備エレメント１３８に正面から当たった空気が該予備エレメント１３８の裏面から流れ出るのではなく、該予備エレメント１３８の側面から漏れ出るような流れは、ここでいう「通過」には該当しない。
【００６９】
図１３の二点鎖線Ｘで示すように、吹出口１３２が予備エレメント１３８の中心部分に向かうように吹出口１３２を配置することが好ましい。即ち、吹出口１３２の延長線上に予備エレメント１３８の中央領域が位置するように吹出口１３２を配置することが好ましい。図１２に示すように、本実施形態では、吹出口１３２は、主エレメント１７０と予備エレメント１３８との間に配置されている。なお、吹出口１３２は、吹出口１３２の少なくとも一部の延長線上に予備エレメント１３８が位置するように配置されていることが好ましい。吹出口１３２は、吹出口１３２の延長線上に予備エレメント１３８が位置するように配置されていることがより好ましい。また、吹出口１３２と予備エレメント１３８までの距離は、吹出口１３２と主エレメント１７０までの距離よりも短いことが好ましい。かかる構成によると、エアクリーナの外部の空気をより効果的に予備エレメント１３８に当てることができる。
【００７０】
予備エレメント１３８の表面積は、吹出口１３２の開口面積よりも大きいことが好ましい。また、予備エレメント１３８の表面積は、吸気通路１３０の最大の流路断面積よりも大きいことが好ましい。かかる構成によると、予備エレメント１３８の表面積のほうが大きいため、吹出口１３２から吹き出される空気を予備エレメント１３８に十分に当てることができる。このため、外部から吸入された空気を予備エレメント１３８において良好に浄化することができる。
【００７１】
なお、本明細書において「予備エレメント１３８の表面積」とは、第１室１１５に露出している面の面積をいい、対向壁１３６と接触している面の面積は含まない用語である。
【００７２】
主エレメント１７０の表面積は、予備エレメント１３８の表面積よりも大きいことが好ましい。かかる構成によると、予備エレメント１３８において、大きな埃を落とし、且つ相対的に小さい埃を捕捉して外部から吸入された空気を予備的に浄化することができる。その後、主エレメント１７０において該空気をさらに浄化することができる。
【００７３】
なお、本明細書において「主エレメント１７０の表面積」とは、第１室１１５から第２室１４５へと空気が通過する際に、空気が接触し得る主エレメントの全表面積を意味する用語である。
【００７４】
エアクリーナ１００の第１ケース１１０は、吹出口１３２に対向し且つ空気を通過させない対向壁１３６を有している。対向壁１３６は、第１室１１５における主エレメント１７０と対向する壁である。対向壁１３６は、鉛直方向に延びる壁である。対向壁１３６に設けられた予備エレメント１３８は、鉛直方向に延びるように配置される。外部から吸入された空気中に含まれる大きな埃は、予備エレメント１３８に当たった後、落下しやすくなる。そのため、大きな埃は、予備エレメント１３８から脱落しやすいので、予備エレメント１３８の目詰まりが抑制される。
【００７５】
本実施形態では、エアクリーナ１００の第１ケース１１０は、対向壁１３６から突出する爪部材１３４，１３４を備えている。予備エレメント１３８は、該予備エレメント１３８を爪部材１３４，１３４に引っ掛けることによって、対向壁１３６に設けられている。図１２に示すように、予備エレメント１３８に形成された係合穴１３９に爪部材１３４を係合させることによって、予備エレメント１３８は対向壁１３６に取り付けられている。かかる構成によると、予備エレメント１３８のメンテナンスが容易である。
【００７６】
本実施形態では、予備エレメント１３８は、爪部材１３６，１３６に引っ掛けることによって対向壁１３６に着脱自在に取り付けられているが、予備エレメント１３８を対向壁１３６に取り付ける方法は特に限定されない。例えば、予備エレメント１３８は、接着剤等を介して対向壁１３６に直接取り付けられていてもよい。
【００７７】
また、変形例として、図１４に示すように、第１ケース１１０の前端部に設けられた挿入口１１６から予備エレメント２３８を着脱する態様が挙げられる。挿入口１１６から第１室１１５内に挿入された予備エレメント２３８は、第１室１１５内に形成された位置合わせ壁１１８によって前後方向の移動が阻止される。また、予備エレメント２３８は、第１室１１５内に形成された位置ズレ防止壁１１７によって、左右方向の移動が阻止される。挿入口１１６は、予備エレメント２３８が第１室１１５内に装着されているときは、外部からの空気が該部分から流入しないように、蓋体等によって封止されている。
【００７８】
本実施形態では、予備エレメント１３８は、対向壁１３６の一部（即ち吹出口１３２の近傍）に設けられているが、かかる態様に限定されない。例えば、予備エレメント１３８を対向壁１３６の全面に設けてもよい。また、第１室１１５を構成する壁であって、主エレメント１７０と対向しない壁（即ち対向壁１３６とは別の壁）に予備エレメント１３８を設けてもよい。
【００７９】
エアクリーナ１００の第２ケース１４０には、第２室１４５の空気をエアクリーナケース１０５外に吐き出す吐出通路１４８が設けられている。本実施形態では、吐出通路１４８は、エアクリーナ１００の第２ケース１４０とエンジン４２とを連通する吸気管５４の一部を構成している。
【００８０】
エアクリーナ装置１０２において、エアクリーナケース１０５の外部の空気は吸込口１２２から吸入される。吸入された空気は吸気通路１３０を通過し、吹出口１３２から予備エレメント１３８の中央部分に向かって流れる。吸入された空気が予備エレメント１３８に衝突すると、空気中に含まれる大きな埃は、第１室１１５内に落下する。一方、空気中に含まれる小さい埃は、一部は予備エレメント１３８に捕捉されずに流れ、他の一部は予備エレメント１３８に捕捉される。このようにして、空気は予備エレメント１３８において浄化される。
【００８１】
ところで、予備エレメント１３８に小さい埃が捕捉されていくと、予備エレメント１３８に若干の目詰まりが発生する場合がある。しかしながら、第１室１１５内に吸入された空気は、予備エレメント１３８を通過しなくとも主エレメント１７０を通過することができる。また、吸入された空気は、予備エレメント１３８の表面に衝突してその流れ方向を変える。そのため、目詰まりによる空気抵抗の増大を抑制することができる。
【００８２】
予備エレメント１３８において浄化された空気は、その後、主エレメント１７０を通過する。この際、予備エレメント１３８において捕捉することができなかった小さな埃は、主エレメント１７０において捕捉される。この結果、良好に浄化された空気をエンジン４２に供給することができる。
【００８３】
次に、吸気通路１３０の吸込口１２２について詳細に説明する。図６及び図７に示すように、吸気通路１３０の吸込口１２２の少なくとも一部は、収納ボックス１８０の右側壁１８２に対向している。
【００８４】
本実施形態では、吸気通路１３０は、伸縮不能なダクトにより形成されている。かかる構成によると、吸気通路１３０の長さが不変であるため、エンジン４２の全体の吸気通路（即ち吸込部１２０の吸気通路１３０とエアクリーナ１００内の通路と吸気管５２）の長さが不変となる。この結果、吸気脈動の変動を抑えることができ、エンジン４２の性能が安定する。
【００８５】
図３及び図６に示すように、収納ボックス１８０の右側壁１８２は、右のシートフレーム２８の左方に位置している。収納ボックス１８０の右側壁１８２には、左方に凹んだ凹部１９０が形成されている。収納ボックス１８０の右側壁１８２は、前方の側壁１８４と、前方の側壁１８４の後端から左方に向かう後壁１８６と、後壁１８６の左端から後方に向かう後方の側壁１８８と、を有している。凹部１９０は、少なくとも後壁１８６と後方の側壁１８８とにより区画されている。
【００８６】
収納ボックス１８０は、図３及び図５に示すように、左のシートフレーム２６の右方に位置する左側壁１９２を有している。収納ボックス１８０の左側壁１９２には、右方に凹んだ他の凹部２００が形成されている。収納ボックス１８０の左側壁１９２は、前方の側壁１９４と、前方の側壁１９４の後端から右方に向かう後壁１９６と、後壁１９６の右端から後方に向かう後方の側壁１９８と、を有している。凹部２００は、少なくとも後壁１９６と後方の側壁１９８とにより区画されている。
【００８７】
図６に示すように、本実施形態では、吸気通路１３０の吸込口１２２の少なくとも一部は、凹部１９０内に配置されている。即ち、図２に示すように、自動二輪車１の前方から見た場合に、吸込口１２２の少なくとも一部は収納ボックス１８０に隠れて見えない状態である。前輪７によって巻き上げられた泥や埃や水等は、凹部１９０には入り込みにくい。このため、吸込口１２２に泥や埃や水等が侵入することを抑制することができる。
【００８８】
好ましくは、吸気通路１３０の吸込口１２２の少なくとも一部は、後壁１８６に対向している。本実施形態では、図７に示すように、吸気通路１３０の吸込口１２２は、前方に開口した第１部分１２４と、左方に開いた（開口した）第２部分１２６とを有している。図４に示すように、吸込口１２２は、後壁１８６の右端１８７が第１部分１２２の右端１２５よりも右方に位置するように配置されている。吸込口１２２の第１部分１２４は、右側壁１８２の後壁１８６に対向している。吸込口１２２の第２部分１２６は、右側壁１８２の後方の側壁１８８に対向している。このように、吸込口１２２の第１部分１２４を後壁１８６に対向するように配置して、吸入口１２２の第２部分１２６を後方の側壁１８８に対向するように配置することにより、吸込口１２２の大きさを小さくしなくても、吸込口１２２を凹部１９０内に配置することの効果を得ることができる。即ち、収納ボックス１８０の収納スペースの確保と、エアクリーナ１００に対する埃の侵入防止とを両立させることができる。
【００８９】
本実施形態に係る吸込口１２２は、図９に示すように、平面視でＬ字形状をしているがかかる形状に限定されない。例えば、吸込口１２２が左斜め前方に開口しているような形状であってもよい。
【００９０】
吸込口１２２は、従来はデッドスペースであった収納ボックス１８０の右側壁１８２の右方と右のシートフレーム２８の左方との間の空間に配置されている。そのため、吸込口１２２用に新たな空間を設ける必要がなく、従来から存在する空間を有効に活用することができる。さらに、吸入口１２２の少なくとも一部が収納ボックス１８０の右側壁１８２に対向するように配置されているため、前輪７から巻き上げられた水、泥及び埃等が吸込口１８２へと入りにくくなっている。この結果、エアクリーナ１００内に吸入される埃等の量が低減されるため、エンジン４２の性能低下を効果的に抑えることができる。
【００９１】
好ましくは、図６に示すように、吸込口１２２の少なくとも一部は、車両側方から見て右のシートフレーム２８と重なるように配置されている。かかる構成によると、右のシートフレーム２８によって、吸込口１２２に泥や埃が侵入することを抑制することができる。
【００９２】
本実施形態に係る自動二輪車１では、エアクリーナ１００と接続された吸気通路１３０が、収納ボックス１８０の右側壁１８２の右方と右のシートフレーム２８の左方との間の空間に配置されている。このため、図３及び図５に示すように、エアクリーナ１００と接続された吸気通路１３０と干渉することなく、車両中心線Ｌ１よりも左方に、伝動ケース６０から上向きに延びる他の吸気通路２１０を配置することができる。即ち、収納ボックス１８０の左側壁１９２の左方と左のシートフレーム２６の右方との間の空間に、吸気通路２１０を配置することができる。
【００９３】
吸気通路２１０は、伝動ケース６０内のＣＶＴ６２に対して冷却用の空気を外部から導入する通路である。図５に示すように、吸気通路２１０は、伸縮自在な蛇腹状のダクト２１４と、収納ボックス１８０の左側壁１９２の凹部２００に一体的に形成されたダクト２１６とを備えている。
【００９４】
ダクト２１６の先端部には、左方に開口した吸込口２１２が形成されている。吸込口２１２の少なくとも一部は、凹部２００内に配置されている。吸込口２１２は、空気を吸い込む開口である。本実施形態では、吸込口２１２の全体が凹部２００内に配置されている。吸込口２１２は、左側壁１９２の後方の側壁１９８から左方に向けて開口している。ただし、上述した吸気通路１３０の吸込口１２２と同様に、吸込口２１２の少なくとも一部が後壁１９６に対向していてもよい。前輪７によって巻き上げられた泥や埃や水等は、凹部２００には入り込みにくい。このため、吸込口２１２を通じて伝動ケース６０内に泥や埃や水等が侵入することを抑制することができる。
【００９５】
次に、リヤフェンダ８０について詳細に説明する。図９に示すように、エアクリーナ１００は、少なくともリヤフェンダ８０の上部８２の一部を形成している。本実施形態では、リヤフェンダ８０の上部８２の一部は、第２ケース１４０によって形成されている。第１ケース１１０は、リヤフェンダ８０の側方に配置されている。このように、第１ケース１１０をリヤフェンダ８０の側方に配置することで、第２ケース１４０の容積を大きく確保することができる。
【００９６】
リヤフェンダ８０におけるエアクリーナ１００以外の部分（以下、「メインフェンダ部８６」とする。）と、エアクリーナ１００とは、互いに組み立てられている。図９に示すように、リヤフェンダ１００の上部８２において、メインフェンダ部８６とエアクリーナ１００の第２ケース１４０とは締結具９０Ａにより締結されている。図１０に示すように、リヤフェンダ８０の左側部８４Ｂにおいて、メインフェンダ部８６とエアクリーナ１００の第２ケース１４０とは締結具９０Ｂにより締結されている。図１１に示すように、リヤフェンダ８０の右側部８４Ａにおいて、メインフェンダ部８６とエアクリーナ１００の第１ケース１１０とは締結具９０Ｃにより締結されている。本実施形態に係る締結具９０Ａ〜９０Ｃとしては、例えば、一般的なボルト、ネジ、リベット等が挙げられる。
【００９７】
図５に示すように、エンジンユニット４０とリヤフェンダ８０の一部であるエアクリーナ１００とは、締結具９２Ａにより締結されている。図６に示すように、リヤフェンダ８０の一部であるメインフェンダ部８６とエンジンユニット４０とは、締結具９２Ｂにより締結されている。このように、エアクリーナ１００とメインフェンダ部８６とが相互に固定され、且つエアクリーナ１００とメインフェンダ部８６とがそれぞれエンジンユニット４２に固定されている。このため、リヤフェンダ８０が揺動しても、エアクリーナ１００とメインフェンダ部８６とのがたつき及び位置ずれを防止することができる。
【００９８】
図９に示すように、エアクリーナ１００の左端１４２（詳しくは、第２ケース１４０の左端１４２）は、車両中心線Ｌ１の左方に位置している。エアクリーナ１００の右端１１２（詳しくは、第１ケース１１０の右端１１２）は、車両中心線Ｌ１の右方に位置している。リヤフェンダ８０の前部１５０の左右方向の全体は、エアクリーナ１００によって形成されている。このようにリヤフェンダ８０の前部１５０の全体をエアクリーナ１００で形成することによって、エアクリーナ１００の横幅を大きくすることができる。よって、エアクリーナ１００の容積を大きく確保することができる。なお、本実施形態においてリヤフェンダ８０の前部１５０は、エアクリーナ１００の前端面であるが、該前端面よりも後方部分であってもよい。
【００９９】
メインフェンダ部８６とエアクリーナ１００との境界１５０は、平面視において車両中心線Ｌ１に対して傾いている。エアクリーナ１００は、平面視において、左方および右方のうち一方から他方に行くほど、前後方向長さが長くなるように形成されている。本実施形態では、メインフェンダ部８６とエアクリーナ１００との境界１５０の一部（詳しくは、エアクリーナ１００の左右方向の中央部分から右部分の領域）は、平面視において車両中心線Ｌ１に対して傾いている。即ち、エアクリーナ１００は、左方から右方に行くほど、前後方向長さが長くなるように形成されている。かかる構成によると、エアクリーナ１００の容積を大きく確保することができる。エアクリーナ１００の容積を大きくすることで、多くの空気を一度に吸い込むことができ、エンジン性能の向上を図ることができる。
【０１００】
図４に示すように、エアクリーナ１００は、平面視において、左方および右方のうち足載せ台３５が設けられた方から他方に行くほど、前後方向長さが長くなるように形成されている。本実施形態では、左のシートフレーム２６に足載せ台３５が設けられている。エアクリーナ１００は、左方から右方に行くほど、前後方向長さが長くなるように形成されている。このように、エアクリーナ１００と足載せ台３５との干渉を避けつつエアクリーナ１００の前後方向長さを長くすることによって、エアクリーナ１００の容積を大きく確保することができる。
【０１０１】
図９に示すように、本実施形態では、リヤフェンダ８０の左方には、リヤクッションユニット９５（図５参照）の一部が入り込むことができる凹部８８が形成されている。エアクリーナ１００の左端１４２と右端１１２との間の中間位置（図９の符号Ｌ４参照）は、車両中心線Ｌ１よりも右方に偏倚している。言い換えると、エアクリーナ１００の上記中間位置は、車両中心線Ｌ１の左方および右方のうち、リヤフェンダ８０の凹部８８が形成された方と逆の方に偏倚している。
【０１０２】
図１１に示すように、本実施形態では、エアクリーナ１００の下端（例えば、第１室１１５底面部分）１０８は、リヤフェンダ８０の上端８１Ａと下端８１Ｂとの間の中間位置よりも下方に位置している。リヤフェンダ８０の上端８１Ａとは、エンジンユニット４０に取り付けられたリヤフェンダ８０において、メインフェンダ部８６の上下方向の最も上方に位置する部分をいう。典型的には、メインフェンダ部８６の上下方向の最も上方に位置する部分とエアクリーナ１００の最も上方に位置する部分との地上からの高さは、実質的に同一である。また、リヤフェンダ８０の下端８１Ｂとは、エンジンユニット４０に取り付けられたリヤフェンダ８０において、メインフェンダ部８６の上下方向の最も下方に位置する部分をいう。かかる構成によると、エアクリーナ１００が低い位置に配置されているため、例えば、シート１３の位置を低くすることができる。なお、エアクリーナ１００の形状によっては、エアクリーナ１００の下端１０８は、第２室１４５の底面部分となる。
【０１０３】
エアクリーナ１００の上下方向の長さは、前方から後方に行くに従って変化している。図１１に示すように、本実施形態では、エアクリーナ１００の上下方向の最大長さ（例えば、第１室１１５の上下方向の最大長さ）は、リヤフェンダ８０の上端８１Ａ位置の上下方向の長さ（言い換えると、上端８１Ａ位置を通る鉛直断面における上下方向の長さ）よりも短い。かかる構成によると、エアクリーナ１００の上下方向長さが短いので、エアクリーナ１００の上方に空間的な余裕をもたせることができる。そのため、例えば、エアクリーナ１００の上方に他の車両部品を配置することが可能となる。また、例えば、シート１３の位置を低くすることができる。なお、エアクリーナ１００の形状によっては、エアクリーナ１００の上下方向の最大長さは、第２室１４５の上下方向の最大長さとなる。
【０１０４】
エアクリーナ１００は少なくともリヤフェンダ８０の上部８２の一部を形成しているため、リヤフェンダ８０の上方（例えば上部）に別途エアクリーナを重ねて配置する必要がない。従って、リヤフェンダの上方にエアクリーナを配置した場合と比較して、空間に余裕があるためエアクリーナ１００の容積を大きくすることができる。これにより、エアクリーナ１００における空気の浄化性能を向上させることができる。
【０１０５】
上述したように、本実施形態に係る鞍乗型車両に搭載されるエアクリーナ装置１０２は、図９に示すように、吐出通路１４８と、吸込部１２０と、エアクリーナケース１０５とを備えている。エアクリーナケース１０５の外部から吸入された空気は吸気通路１３０を通過して吹出口１３２から第１室１１５に流入する。吹出口１３２の軸線上には予備エレメント１３８が離間して配置されているため、第１室１１５内に吸入された空気の少なくとも一部は予備エレメント１３８に当たる。このため、空気中に含まれる大きな埃は予備エレメント１３８に衝突した後に落下する。この結果、大きな埃によって予備エレメント１３８に目詰まりが発生することは抑制される。したがって、予備エレメント１３８は目詰まりが生じにくい。一方、相対的に小さい埃は、予備エレメント１３８に衝突した際に該予備エレメント１３８に捕捉される場合がある。このため、外部から空気を吸入し続けると、小さい埃によって予備エレメント１３８に多少の目詰まりが発生する可能性がある。しかし、外部から吸入された空気は予備エレメント１３８を通過しなくとも主エレメント１７０を通過することができるため、予備エレメント１３８に多少の目詰まりが生じていた場合であっても、空気抵抗の増大を抑制することができる。予備エレメント１３８に当たった空気は、その後、第１室１１５と第２室１４５との間に配置されている主エレメント１７０を通過する。そのため、予備エレメント１３８で捕捉できなかった小さな埃等を該主エレメントにおいて捕捉することができる。
【０１０６】
図１２に示すように、本実施形態によれば、エアクリーナケース１０５は、吹出口１３２に対向し且つ空気を通過させない対向壁１３６を有している。予備エレメント１３８は、対向壁１３６に設けられている。このように、予備エレメント１３８を対向壁１３６に設けるという簡単な構成によって、上述の作用効果を得ることができる。
【０１０７】
本実施形態によれば、対向壁１３６は、第１室１１５における主エレメント１７０と対向する壁である。そのため、主エレメント１７０と予備エレメント１３８とが、第１室１１５において互いに対向する位置に配置されているので、外部から吸入される空気の大部分をまず予備エレメント１３８に当てることができる。この結果空気を良好に浄化することができる。
【０１０８】
本実施形態によれば、予備エレメント１３８は、対向壁１３６に着脱自在に取り付けられている。そのため、予備エレメント１３８に目詰まりが発生し、予備エレメント１３８の浄化性能が低下した場合に、該予備エレメント１３８を容易に交換することができる。即ち予備エレメント１３８のメンテナンスが容易である。
【０１０９】
また、本実施形態によれば、予備エレメント１３８は、対向壁１３６に直接取り付けられている。そのため、予備エレメント１３８を対向壁１３６に取り付けるための複雑な構成が不要となり、エアクリーナ装置１０２の構成を簡単化することができる。
【０１１０】
本実施形態によれば、エアクリーナケース１０５は、対向壁１３６から突出する爪部材１３４を備えている。予備エレメント１３８は、爪部材に引っ掛けられている。そのため、予備エレメント１３８を対向壁１３６に対して容易に着脱することができる。即ち予備エレメント１３８のメンテナンスが容易である。
【０１１１】
本実施形態によれば、予備エレメント１３８は、対向壁１３６の一部に設けられている。そのため、外部から吸入された空気が当たりやすい部分である対向壁１３６の一部に予備エレメント１３８を配置することで、空気の浄化をより小さな予備エレメント１３８によって行うことができる。
【０１１２】
本実施形態によれば、対向壁１３６は、鉛直方向に延びる壁である。そのため、外部から吸入された空気中に含まれる大きな埃が、鉛直方向に延びる壁に設けられた予備エレメント１３８に当たった後、大きな埃は落下しやすくなる。即ち大きな埃をより効果的に除去することができる。
【０１１３】
本実施形態によれば、吹出口１３２は、主エレメント１７０と予備エレメント１３８との間に配置されている。そのため、主エレメント１７０と予備エレメント１３８とが、吹出口１３２をはさんで対向する位置に配置されているので、外部から吸入される空気の大部分をまず予備エレメント１３８に当てることができる。この結果空気を良好に浄化することができる。
【０１１４】
本実施形態によれば、予備エレメント１３８の表面積は、吸気通路１３０の最大の流路断面積よりも大きい。そのため、予備エレメント１３８の表面積のほうが大きいため、吹出口１３２から吹き出される空気を予備エレメント１３８に十分に当てることができる。この結果、外部から吸入された空気を予備エレメント１３８において良好に浄化することができる。
【０１１５】
本実施形態によれば、主エレメント１７０の表面積は、予備エレメント１３８の表面積よりも大きい。そのため、予備エレメント１３８において、大きな埃を落とし、外部から吸入された空気を予備的に浄化し、その後、主エレメント１７０において該空気を十分に浄化することができる。
【０１１６】
本実施形態によれば、主エレメント１７０は、乾式エレメントからなっている。そのため、主エレメント１７０の取扱い及びメンテナンスが容易となる。
【０１１７】
本実施形態によれば、吹出口１３２は、主エレメント１７０と交差しない方向に開口している。このため、エアクリーナケース１０５の外部から吸入される空気が直接主エレメント１７０に当たることを低減することができる。
【０１１８】
本実施形態によれば、吹出口１３２は、予備エレメント１３８と交差する方向に開口している。このため、エアクリーナケース１０５の外部から吸入される空気の大部分を直接予備エレメント１３８に当てることができる。
【符号の説明】
【０１１９】
１      自動二輪車（鞍乗型車両）
１００  エアクリーナ
１０２  エアクリーナ装置
１０５  エアクリーナケース
１１５  第１室
１３０  吸気通路
１３２  吹出口
１３４  爪部材
１３６  対向壁
１３８  予備エレメント（湿式エレメント）
１４５  第２室
１４８  吐出通路
１７０  主エレメント（乾式エレメント）
【図１】
2013136998.tif 000003
【図２】
2013136998.tif 000004
【図３】
2013136998.tif 000005
【図４】
2013136998.tif 000006
【図５】
2013136998.tif 000007
【図６】
2013136998.tif 000008
【図７】
2013136998.tif 000009
【図８】
2013136998.tif 000010
【図９】
2013136998.tif 000011
【図１０】
2013136998.tif 000012
【図１１】
2013136998.tif 000013
【図１２】
2013136998.tif 000014
【図１３】
2013136998.tif 000015
【図１４】
2013136998.tif 000016